(57)【要約】      （修正有）【課題】ステータのスロットオープン部におけるコギングトルクの発生を低減するコギングトルク低減型キャンドモータを提供する。【解決手段】ハウジングに挿設され、ハウジングに内蔵されたコイルを密封するキャン１０と、キャン１０の外周面に配設され、ハウジングの内周面に挿設されたステータと、を含み、キャン１０は、外周面に突出形成された複数の固定ガイド１１と、固定ガイド１１に固着され一体化されたメタルピン１２とを備え、キャン１０が、ステータに挿入される時、メタルピン１２がステータのスロットオープン部に挿入され密着され、キャン１０は、メタルピン１２と共にインサート射出成形され、メタルピン１２が固定ガイド１１内に固着され、固定ガイド１１は、ステータのスロットオープン部に接触する左右両側が開口され、スロットオープン部に挿入されたメタルピン１２がステータに直接接触することを特徴とする。【選択図】図３
2013106512.tif 000002
【特許請求の範囲】
【請求項１】
ハウジングに挿設され、前記ハウジングに内蔵されたコイルを密封するキャンと、前記キャンの外周面に配設され、前記ハウジングの内周面に挿設されたステータと、を含み、
前記キャンは、外周面に突出形成された複数の固定ガイドと、前記固定ガイドに固着され一体化されたメタルピンとを備え、前記キャンが前記ステータに挿入される時、前記メタルピンが前記ステータのスロットオープン部に挿入され密着されたことを特徴とするコギングトルク低減型キャンドモータ。
【請求項２】
前記キャンは、前記メタルピンと共にインサート射出成形され、前記メタルピンが固定ガイド内に固着されたことを特徴とする請求項１に記載のコギングトルク低減型キャンドモータ。
【請求項３】
前記固定ガイドは、前記ステータの前記スロットオープン部に接触する左右両側が開口され、前記スロットオープン部に挿入された前記メタルピンが前記ステータに直接接触したことを特徴とする請求項１に記載のコギングトルク低減型キャンドモータ。
【請求項４】
前記メタルピンは磁性体からなることを特徴とする請求項１に記載のコギングトルク低減型キャンドモータ。
【発明の詳細な説明】
【技術分野】
【０００１】
本発明は、コギングトルク低減型キャンドモータに係り、より詳しくは、ステータのスロットオープン部に磁性体のメタルピンを挿入してコギングトルクの発生を抑制することにより、起動時の騒音及び振動を低減するコギングトルク低減型キャンドモータに関する。
【背景技術】
【０００２】
キャンドポンプ（Ｃａｎｎｅｄ  Ｐｕｍｐ）は、水圧を上昇させるためのものであって、ポンプの動力源であるモータの構成要素の中、電気が流れるコイルはキャン（ｃａｎ）で密封し、キャンの内部に収納される回転軸と回転子にはポンプにより加圧された水の一部を流入可能にして回転体から発生する摩擦熱を適切に冷却し、加圧される水が回転摩擦部の間で潤滑作用もするようにした構造であり、通常、ポンプのインペラとモータを一体化して製作する。
すなわち、キャンドポンプの動力源のキャンドモータは、一般的にキャンドポンプとの間で漏水のない一体型構造として結合されている（例えば、特許文献１参照）。
【０００３】
図１は従来のキャンドモータの断面構造を示す構成図である。図１に示したとおり、従来のキャンドモータは、一定の体積を有するハウジング１と、ハウジング１の内周面に設置されるステータ２と、ステータ２の周辺に配設されステータ２と回転子３との間に電磁気的作用を起こすためのコイル（図示せず）と、ハウジング１に挿設されコイルとステータ２を密閉するキャン４と、キャン４の内部に収納され電磁気的作用により回転可能に設置される回転子３と、この回転子３に圧入され回転子３に連動回転する回転軸５と、を含む。
回転軸５の一端にはポンプのインペラ６が結合されており、インペラ６は、回転子３の回転により、回転軸５に連動して回転し、水を吸入または吐出する。
この時、キャン４は、コイルが配設されているキャン４の外部に内部の水が流出しないように漏水を防止する役割をし、通常、ＰＰＳ（ｐｏｌｙｐｈｅｎｙｌｅｎｅ  ｓｕｌｆｉｄｅ）材料で製作される。
【０００４】
図２は従来のキャンドモータのキャンとステータの組立構造を示す断面図である。図２に示したとおり、キャン４の外周面にはステータ２が配設されており、ステータ２は、コイルに電源が印加されると、回転子３との電磁気的作用により回転子を回転駆動させる。
ステータ２には、円周に沿って複数のスロット７が長さ方向に形成されており、スロット７とキャン４との間には０．８ｍｍ程度のスロットオープン部８が形成される。
上記のような従来のキャンドモータは、比較的構造が簡単で、防水性能に優れた利点がある反面、ステータのスロットオープン部にコギングトルクが発生し、これによる騒音及び振動が大きいという問題がある。
【先行技術文献】
【特許文献】
【０００５】
【特許文献１】特開２００５−３４４５８９号公報
【発明の概要】
【発明が解決しようとする課題】
【０００６】
本発明は上記の問題を解決するためになされたものであって、その目的とするところは、ステータのスロットオープン部におけるコギングトルクの発生を低減するコギングトルク低減型キャンドモータを提供することにある。
【課題を解決するための手段】
【０００７】
上記目的を達成するためになされた本発明のコギングトルク低減型キャンドモータは、ハウジングに挿設され、ハウジングに内蔵されたコイルを密封するキャンと、キャンの外周面に配設され、ハウジングの内周面に挿設されたステータと、を含み、キャンは、外周面に突出形成された複数の固定ガイドと、固定ガイドに固着され一体化されたメタルピンとを備え、キャンが、ステータに挿入される時、メタルピンがステータのスロットオープン部に挿入され密着されたことを特徴とする。
【０００８】
キャンは、メタルピンと共にインサート射出成形され、メタルピンが固定ガイド内に固着されたことが好ましい。
固定ガイドは、ステータのスロットオープン部に接触する左右両側が開口され、スロットオープン部に挿入されたメタルピンがステータに直接接触したことが好ましい。
メタルピンは磁性体からなることが好ましい。
【発明の効果】
【０００９】
本発明によれば、本発明のキャンドモータは、ステータのスロットオープン部に磁性体のメタルピンを挿入した構造であり、スロットオープン部のコギングトルク発生を低減させることができるため、起動時のトルクリップルが減少して騒音及び振動の発生を減少させることができる。これによって、モータの効率を向上させることができる。
また、本発明のキャンドモータは、キャンの外周面に固定ガイドが形成されることにより、剛性が補強されるため、信頼性を向上させることができる。
ステータのスロットオープン部にキャンの固定ガイドがマッチングされることにより、ステータのスリップ防止効果が得られる。
【図面の簡単な説明】
【００１０】
【図１】従来のキャンドモータの断面構造を示す構成図である。
【図２】従来のキャンドモータのキャンとステータの組立構造を示す断面図である。
【図３】本発明の実施例によるキャンドモータのキャンを示す外部斜視図である。
【図４】本発明の実施例によるキャンドモータのキャンとステータの組立構造を示す断面図である。
【発明を実施するための形態】
【００１１】
以下、添付図面を基づき本発明の好ましい実施例を詳細に説明する。図３は本発明の実施例によるキャンドモータのキャンを示す外部斜視図であり、図４は本発明の実施例によるキャンドモータのキャンとステータの組立構造を示す断面図である。
通常、キャンドモータは、一定の体積を有するハウジングと、ハウジングの内周面に設置されるステータと、ステータの周辺に配設されステータと回転子との間に電磁気的作用を起こすコイルと、ハウジングに挿設されコイルを密閉するキャンと、キャンの内部に収納され電磁気的作用により回転可能に設置される回転子と、この回転子に圧入され回転子に連動回転する回転軸と、を含む。
【００１２】
回転軸の一端には、ポンプのインペラが結合されており、インペラは、回転子の回転により回転軸に連動して回転しながら水を吸入または吐出する。
この時、キャンは、コイルが配設されているキャンの外部に内部の流水が流出しないように漏水を防止する役割をする。
キャンの外周面にはステータが配設されており、ステータは、ハウジングの内壁面に固定される。コイルに電源が印加されると、回転子との電磁気的作用により回転子を回転駆動させる。
ステータには、円周方向に並んだ複数のスロットが長さ方向に形成されており、スロットと内壁面（キャンが接するステータの内周面）との間に一定の大きさのスロットオープン部が形成される。
【００１３】
本発明では、上記のとおり、キャン１０とステータ２０を含むキャンドモータにおいて、ステータ２０のスロットオープン部２２により発生するコギングトルクを抑制するために、スロットオープン部２２に磁性体のメタルピン１２を挿入してステータ２０にオープンされた区間を填補し、閉鎖されたスロット２１を形成する。
このために、本発明によるコギングトルク低減型キャンドモータは、図３に示したとおり、キャン１０の外周面の長さ方向に複数の固定ガイド１１を形成し、この固定ガイド１１にメタルピン１２を固着した状態のキャン１０を含んで構成される。
固定ガイド１１は、キャン１０の射出成形時、キャン１０の外周面に一体に突出形成され、メタルピン１２は、インサート射出成形により固定ガイド１１に固着されてキャン１０に設けられる。
【００１４】
インサート射出成形は、射出樹脂を金型に注入して射出部品を成形する時、金型の所定部位に他の部分品をセットした状態で成形するため、インサート（ｉｎｓｅｒｔ）された部分品は射出部品の一部分として一体成形される。
したがって、キャン１０とメタルピン１２をインサート射出成形することにより、メタルピン１２は固定ガイド１１に固着された状態でキャン１０の外周面に一体化されて設けられる。
【００１５】
固定ガイド１１は、キャン１０の円形断面に対して垂直に長く延びて形成され、メタルピン１２は固定ガイド１１の一端または一側面に固着される。
このようにインサート射出成形によりキャン１０とメタルピン１２を一体に形成することにより、キャン１０の固定ガイド１１内にメタルピン１２が固着され、これによってキャン１０の固定ガイド１１からメタルピン１２の離脱が防止される。
また、図３及び図４に示したとおり、ステータ２０のスロットオープン部２２に接触する固定ガイド１１の左右両側を開口することにより、固着されているメタルピン１２の左右両端を露出させる。
メタルピン１２は、固定ガイド１１の内壁面に固着されているため、固定ガイド１１の一定の部位を開口成形しても固定ガイド１１から離脱しない。
【００１６】
したがって、図３に示したとおり固定ガイド１１を、その左右の両側が長く開口した形態に成形し、固着されたメタルピン１２の左右の両端を露出することにより、メタルピン１２をステータ２０に直接接触させることができる。
具体的には、ステータ２０にキャン１０が挿入される時、固定ガイド１１がステータ２０のスロットオープン部２２に嵌め込まれ、図４に示したとおり両端部が露出したメタルピン１２がスロットオープン部２２に挿入されてマッチングされ、これによって、メタルピン１２がスロットオープン部２２に密着し、ステータ２０に直接接触することになる。
これにより、ステータ２０は、キャン１０の外周面に配設されるとき、スロットオープン部２２が閉鎖されたスロット２１を有することになる。
スロットオープン部２２に挿入されてマッチングされるメタルピン１２は磁性体の素材からなる。
【００１７】
一方、固定ガイド１１は、キャン１０の外周面に突出形成されてキャン１０を補強し、また、ステータ２０とキャン１０を組み立てる時、組立位置を案内する役割をする。
さらに、本発明のキャンドモータは、ステータ２０のスロットオープン部２２にキャン１０のメタルピン１２を挿入してマッチングすることにより、ステータ２０のスリップ防止効果が得られる。
【００１８】
このように本発明によるキャンドモータは、ハウジングに内蔵されたコイルを密封するハウジングに挿設されるキャン１０と、キャン１０の外周面に配設され、ハウジングの内周面に挿設されるステータ２０と、を含んで構成され、キャン１０の外周面には固定ガイド１１に固着され一体化されたメタルピン１２が設けられる。
【符号の説明】
【００１９】
１  ハウジング
２，２０  ステータ
３  回転子
４，１０  キャン
５  回転軸
６  インペラ
７，２１  スロット
８，２２  スロットオープン部
１１  固定ガイド
１２  メタルピン
【図１】
2013106512.tif 000003
【図２】
2013106512.tif 000004
【図３】
2013106512.tif 000005
【図４】
2013106512.tif 000006